(57)【要約】【課題】データ通信システムの親機と各子機の縁組みを正確かつ容易に短時間で行い、縁組み処理の効率を向上させる。【解決手段】センタ装置３０に縁組み対象の子機１０の情報を登録し（Ｓ２１）、その無線局ＩＤと子機ＩＤを付加した登録要求信号を親機２０に送信し（Ｓ２２）、親機２０に登録する（Ｓ２３）。子機１０の縁組ボタンを押下し（Ｓ２４）、子機１０の無線局ＩＤを縁組要求信号に付加して親機２０に送信する（Ｓ２５）。親機２０は、受信した無線局ＩＤが縁組み対象の子機１０のものであれば（Ｓ２６）、自己の無線局ＩＤを送信元、受信した子機１０の無線局ＩＤを送信先として登録要求信号に付加して子機１０に返信する（Ｓ２７）。子機１０は、受信した送信先の無線局ＩＤが自己のＩＤと一致する場合に、送信元である親機２０の無線局ＩＤを登録して縁組み処理を終了する（Ｓ２８）。【選択図】          図７
2007267313.tif 000002
【特許請求の範囲】
【請求項１】
複数の子機と、該子機と無線通信可能な親機と、該親機と通信可能なセンタ装置とを備えたデータ通信システムにおける親機と各子機の縁組み方法であって、
前記センタ装置に対して前記子機に予め付与された第１の識別情報及び前記子機にシステム内で割り当てた第２の識別情報を登録する工程と、
前記センタ装置から前記親機に前記子機の第１及び第２の識別情報を送信する工程と、
前記センタ装置から受信した前記子機の第１及び第２の識別情報を前記親機に登録する工程と、
前記子機から前記親機に該子機の第１の識別情報を送信する工程と、
前記子機から受信した第１の識別情報に基づき、前記親機から前記子機に該親機の識別情報を送信する工程と、
前記親機から受信した該親機の識別情報を前記子機に登録する工程と、
を有することを特徴とするデータ通信システムにおける親機と各子機の縁組み方法。
【請求項２】
請求項１に記載されたデータ通信システムにおける親機と各子機の縁組み方法において、
前記子機から前記親機に該子機の第１の識別情報を送信する工程は、
前記子機に対して前記親機との縁組み開始の操作を行う工程と、
該縁組み開始操作に応じて、前記子機から前記親機に該子機の第１の識別情報を送信する工程と、
からなることを特徴とするデータ通信システムにおける親機と各子機の縁組み方法。
【請求項３】
請求項１または２に記載されたデータ通信システムにおける親機と各子機の縁組み方法において、
前記センタ装置から前記親機に前記子機の第１及び第２の識別情報を送信する工程は、
前記子機からの第１の識別情報の受信に伴い、前記親機から前記センタ装置に前記子機の第１及び第２の識別情報の送信を要求する工程と、
該送信要求に応じて、前記センタ装置から前記親機に前記子機の第１及び第２の識別情報を送信する工程と、
からなることを特徴とするデータ通信システムにおける親機と各子機の縁組み方法。
【請求項４】
複数の子機と、該子機と無線通信可能な親機と、該親機と通信可能なセンタ装置とを備えたデータ通信システムにおける親機と各子機の縁組み方法であって、
前記センタ装置に対して前記子機に予め付与された第１の識別情報及び前記子機にシステム内で割り当てた第２の識別情報を登録する工程と、
前記センタ装置から前記親機に前記子機の第１及び第２の識別情報を送信する工程と、
前記センタ装置から受信した前記子機の第１及び第２の識別情報を前記親機に登録する工程と、
前記センタ装置から受信した前記子機の第１の識別情報に基づき、前記親機から前記子機に該親機の識別情報を送信する工程と、
前記親機から受信した該親機の識別情報を前記子機に登録する工程と、
を有することを特徴とするデータ通信システムにおける親機と各子機の縁組み方法。
【請求項５】
請求項４に記載されたデータ通信システムにおける親機と各子機の縁組み方法において、
前記親機から前記子機に該親機の識別情報を送信する工程は、
前記センタ装置から前記親機に対して該親機の識別情報の前記子機への送信を指示する工程と、
該送信指示に応じて、前記センタ装置から受信した前記子機の第１の識別情報に基づき、前記親機から前記子機に該親機の識別情報を送信する工程と、
からなることを特徴とするデータ通信システムにおける親機と各子機の縁組み方法。
【発明の詳細な説明】
【技術分野】
【０００１】
本発明は、メータやセンサ等の端末機器に接続された複数の子機（無線端末装置）と、子機と無線通信可能な親機（無線端末装置）と、親機と通信可能なセンタ装置とを備えたデータ通信システムにおける親機と各子機の縁組み方法に関する。
【背景技術】
【０００２】
複数の無線端末装置を利用したデータ通信システムとして、例えばガス、水道、電気等の使用量や施設の温度等を遠隔地から監視又は管理する遠隔監視（管理）システムが広く知られている。このシステムは、各家庭に設置されたメータやセンサ等の端末機器に接続された複数の子機と、各子機が検出するデータを無線通信により収集する親機と、親機と公衆通信回線やインターネット等のネットワークを介して相互に通信を行う監視サーバ（監視ＰＣ）等からなるセンタ装置等から構成され、センタ装置が親機を介して各子機に検出データの送信等を要求し、各子機からの返信を親機を介して受信して各子機が接続された端末機器を監視（管理）する。
【０００３】
このようなデータ通信システムでは、親機と子機に互いを識別してデータの送受信を行わせる必要があるため、予め相手のＩＤ等の識別情報を通信の相手局として相互に登録する、いわゆる縁組みが行われる。この親機と子機の縁組み作業は、混信等を回避して親機と子機間で正確な通信チャンネルを確立させるための極めて重要な作業であり、複数の子機に付与されるＩＤと親機が管理する各子機のＩＤとを合致させる必要がある。
【０００４】
この親機と子機の縁組み方法として、従来、親機と子機のそれぞれに、複数のスイッチ素子からなるディップスイッチを設け、それぞれのディップスイッチを操作して縁組みを行う方法が広く普及している。この従来の縁組み方法では、例えば子機のディップスイッチを操作して、その子機に割り当てられた子機ＩＤを設定した後、親機と子機のそれぞれのディップスイッチを操作する等して、子機ＩＤの親機への通知と、互いの識別情報である無線局ＩＤの交換を行わせて縁組が行われる。このとき、子機側では親機の無線局ＩＤを登録し、親機側では子機の子機ＩＤと無線局ＩＤを登録する。
【０００５】
なお、無線局ＩＤは、子機や親機の製造時等に予め付与される一意に識別可能なユニークな符号等の識別情報であり、製造時等に設定される識別のためのバイナリコードである。この無線局ＩＤは、親機と子機間の通信信号中に付加されて、その信号の送信先や送信元の識別等に使用される。また、子機ＩＤは、子機毎にシステム内で割り当てた同一システム内で重複しない無線局ＩＤとは異なる識別情報であり、センタ装置と親機間の通信信号中等に付加されて、システム内での子機の特定等に使用される。これら各子機の無線局ＩＤと子機ＩＤは、子機から送信されたデータに基づき、親機が対比表（管理データテーブル）を作成して管理し、子機やセンタ装置との通信時に使用される。
【０００６】
しかしながら、このようなディップスイッチを用いた縁組み方法では、親機と子機のディップスイッチをそれぞれ操作する必要があるだけでなく、その操作を手動で行うため、煩雑な上に操作ミスが発生する恐れがあり、正確に設定を行うためには時問を要するという問題がある。また、スイッチ操作ミス等により、新たに設置した子機に対して、既に親機と縁組み済みの子機と同じ子機ＩＤを設定してしまう恐れもあり、その場合には、上記した管理データテーブル中の縁組み済みの子機情報が上書され、センタ装置が異なった場所の電気メータ等の端末装置を監視してしまう等のトラブルも発生する。
【０００７】
このような問題に対処するため、従来、センタ装置から親機に対して、子機の個別情報（子機ＩＤ）と識別ＩＤ（無線局ＩＤ）を通知して子機の登録を要求し、この要求に基づいて、親機と子機との間で縁組み処理を行うようにしたデータ通信システムが提案されている（特許文献１参照）。
【０００８】
この従来のシステムでは、センタ装置から、親機に対して縁組み対象の１又は２以上の子機の個別情報と識別ＩＤを含む登録要求信号を送信し、これを受信した親機は、自己の識別ＩＤ及び子機の個別情報と識別ＩＤを付加した縁組要求信号を作成して子機に送信する。一方、子機は、親機からの縁組要求信号を受信すると、信号中に含まれる縁組み対象の子機の識別ＩＤ及び個別情報が、共に予め保有している自己の識別ＩＤ及び個別情報と一致するか確認し、一致した場合にのみ、信号中の親機の識別ＩＤをメモリに縁組情報として記録する。同時に、子機は、自己の識別ＩＤを付加した応答信号を作成して親機に返信し、これを受信した親機は、信号中の送信先（親機）の識別ＩＤが自己の識別ＩＤと一致し、かつ送信元（子機）の識別ＩＤが先に送信した縁組要求信号に付加された縁組み対象の子機の識別ＩＤと一致した場合にのみ、その子機の識別ＩＤと個別情報を関連づけてメモリに縁組情報として記録する。その後、親機は、センタ装置に縁組完了信号を返信し、センタ装置が縁組みされた子機の個別情報と識別ＩＤを、管理データテーブルに登録して縁組み処理を終了する。
【０００９】
従って、このデータ通信システムによれば、縁組み処理の一部を自動で行うため、ディップスイッチ等により手動のみで行う場合に比べて、設定操作がある程度単純化して作業時間を短縮することができる。しかしながら、この従来のシステムでは、子機の設置時等に、各子機に対して個別情報を設定器又はディップスイッチを用いて手動で設定する必要があるため、依然として設定作業に手間と時間を要する。加えて、操作ミスにより子機の個別情報を間違えて設定する恐れもあり、その場合には、親機と子機の縁組み処理が円滑に進行せず、個別情報の設定及び上記した縁組み処理を繰り返す必要がある等、縁組み作業の効率が低下するという問題も生じる。
【００１０】
【特許文献１】特開２００６−４８４５９号公報
【発明の開示】
【発明が解決しようとする課題】
【００１１】
本発明は、前記従来の問題に鑑みなされたものであって、その目的は、データ通信システムの親機と各子機の縁組みを正確かつ容易に行えるようにし、作業時間を短縮して縁組み処理の効率を向上させることである。
【課題を解決するための手段】
【００１２】
請求項１の発明は、複数の子機と、該子機と無線通信可能な親機と、該親機と通信可能なセンタ装置とを備えたデータ通信システムにおける親機と各子機の縁組み方法であって、前記センタ装置に対して前記子機に予め付与された第１の識別情報及び前記子機にシステム内で割り当てた第２の識別情報を登録する工程と、前記センタ装置から前記親機に前記子機の第１及び第２の識別情報を送信する工程と、前記センタ装置から受信した前記子機の第１及び第２の識別情報を前記親機に登録する工程と、前記子機から前記親機に該子機の第１の識別情報を送信する工程と、前記子機から受信した第１の識別情報に基づき、前記親機から前記子機に該親機の識別情報を送信する工程と、前記親機から受信した該親機の識別情報を前記子機に登録する工程と、を有することを特徴とする。
請求項２の発明は、請求項１に記載されたデータ通信システムにおける親機と各子機の縁組み方法において、前記子機から前記親機に該子機の第１の識別情報を送信する工程は、前記子機に対して前記親機との縁組み開始の操作を行う工程と、該縁組み開始操作に応じて、前記子機から前記親機に該子機の第１の識別情報を送信する工程と、からなることを特徴とする。
請求項３の発明は、請求項１または２に記載されたデータ通信システムにおける親機と各子機の縁組み方法において、前記センタ装置から前記親機に前記子機の第１及び第２の識別情報を送信する工程は、前記子機からの第１の識別情報の受信に伴い、前記親機から前記センタ装置に前記子機の第１及び第２の識別情報の送信を要求する工程と、該送信要求に応じて、前記センタ装置から前記親機に前記子機の第１及び第２の識別情報を送信する工程と、からなることを特徴とする。
請求項４の発明は、複数の子機と、該子機と無線通信可能な親機と、該親機と通信可能なセンタ装置とを備えたデータ通信システムにおける親機と各子機の縁組み方法であって、前記センタ装置に対して前記子機に予め付与された第１の識別情報及び前記子機にシステム内で割り当てた第２の識別情報を登録する工程と、前記センタ装置から前記親機に前記子機の第１及び第２の識別情報を送信する工程と、前記センタ装置から受信した前記子機の第１及び第２の識別情報を前記親機に登録する工程と、前記センタ装置から受信した前記子機の第１の識別情報に基づき、前記親機から前記子機に該親機の識別情報を送信する工程と、前記親機から受信した該親機の識別情報を前記子機に登録する工程と、を有することを特徴とする。
請求項５の発明は、請求項４に記載されたデータ通信システムにおける親機と各子機の縁組み方法において、前記親機から前記子機に該親機の識別情報を送信する工程は、前記センタ装置から前記親機に対して該親機の識別情報の前記子機への送信を指示する工程と、該送信指示に応じて、前記センタ装置から受信した前記子機の第１の識別情報に基づき、前記親機から前記子機に該親機の識別情報を送信する工程と、からなることを特徴とする。
【発明の効果】
【００１３】
本発明によれば、データ通信システムの親機と各子機の縁組みを正確かつ容易に行うことができ、作業時間を短縮して縁組み処理の効率を向上させることができる。
【発明を実施するための最良の形態】
【００１４】
以下、本発明の一実施形態について、図面を参照して説明する。
図１は、本実施形態のデータ通信システムの概略構成を示すブロック図である。
このデータ通信システム１は、無線通信端末（親機、子機）を用いて、例えばガス、水道、電気等の使用量や施設の温度等を遠隔地から監視又は管理する遠隔監視（管理）システムであり、図示のように、各家庭に設置されたメータやセンサ等の端末機器２に接続された複数（図では３個）の子機１０と、各子機１０と無線通信する親機２０と、親機２０と公衆通信回線やインターネット等のネットワーク３を介して相互に通信を行う監視サーバ（監視ＰＣ）等からなるセンタ装置３０等から構成される。
【００１５】
図２は、このデータ通信システム１の子機１０の概略構成を示すブロック図である。
子機１０は、図示のように、制御部１１と、それぞれ制御部１１に接続された無線通信インターフェース（Ｉ／Ｆ）部１２、操作入力部１３、端末機器インターフェース（Ｉ／Ｆ）部１４、記憶部１５、及び無線通信Ｉ／Ｆ部１２に接続されたアンテナ１６等を備える。
【００１６】
制御部１１は、データ処理や解析、演算等を行うＣＰＵ１１Ａと、各種プログラム等を格納したＲＯＭ１１Ｂと、処理のための一時的なデータの保存等を行うＲＡＭ１１Ｃとを有し、接続された各部１２、１３、１４、１５等、子機１０全体の制御や、後述する親機２０に予め付与された識別情報である無線局ＩＤの登録処理等を行う。無線通信Ｉ／Ｆ部１２は、アンテナ１６を介して親機２０と特定小電力電波等により無線通信を行う。操作入力部１３は、子機１０に対して外部から操作入力を行うためのものであり、親機２０との縁組みを要求する縁組ボタン等（図示せず）を有する。端末機器Ｉ／Ｆ部１４は、メータやセンサ等の端末機器２と接続され、端末機器２が検出するデータの取得等を行う。記憶部１５は、例えば不揮発メモリ等からなり、登録した親機２０との通信に必要な、親機２０や自己の無線局ＩＤ等の各種情報を記憶する。
【００１７】
また、このデータ通信システム１では、無線局ＩＤの他に、上記した従来のデータ通信システムと同様に、子機１０毎に無線局ＩＤとは異なる識別情報である子機ＩＤをシステム１内で割り当て、子機ＩＤをセンタ装置３０と親機２０との間の通信文中に付加して、システム１内での子機１０の特定等に使用する。しかしながら、本実施形態では、前記従来のデータ通信システムと相違して、各子機１０への子機ＩＤの設定等は行わず、センタ装置３０と親機２０のそれぞれの管理データテーブルにデータとしてのみ保存して使用する。従って、本実施形態の子機１０には、子機ＩＤを設定するためのディップスイッチや設定器の接続端子等、従来必要であった子機ＩＤの設定手段を設けていない。
【００１８】
図３は、このデータ通信システム１の親機２０の概略構成を示すブロック図である。
親機２０は、図示のように、制御部２１と、それぞれ制御部２１に接続された無線通信インターフェース（Ｉ／Ｆ）部２２、ネットワークインターフェース（Ｉ／Ｆ）部２３、操作入力部２４、表示部２５、記憶部２６、及び無線通信Ｉ／Ｆ部２２に接続されたアンテナ２７等を備える。
【００１９】
制御部２１は、子機１０の前記制御部１１と同様に、ＣＰＵ２１Ａ、ＲＯＭ２１Ｂ、ＲＡＭ２１Ｃ等を有し、親機２０全体の制御や、後述する子機１０の子機ＩＤと無線局ＩＤの登録処理等を行う。無線通信Ｉ／Ｆ部２２は、アンテナ２７を介して子機１０と特定小電力電波等により無線通信を行う。ネットワークＩ／Ｆ部２３は、ネットワーク３に接続し、それらを介してセンタ装置３０と通信を行う。有線、無線を問わない操作入力部２４は、親機２０に対して外部から操作入力を行うためのものであり、例えば設定用のパソコンを接続するための端子等からなる。表示部２５は、発光ダイオードや液晶等からなり、親機２０の動作状態等を表示する。記憶部２６は、各種情報を記憶する例えば不揮発メモリ等からなり、登録した子機１０の無線局ＩＤと子機ＩＤを管理データテーブルとして記憶する他、自己の無線局ＩＤ等、子機１０やセンタ装置３０との通信に必要な情報等を記憶する。
【００２０】
図４は、データ通信システム１のセンタ装置３０の概略構成を示すブロック図である。
センタ装置３０は、図示のように、制御部３１と、それぞれ制御部３１に接続されたネットワークインターフェース（Ｉ／Ｆ）部３２、操作入力部３３、表示部３４、記憶部３５等を備える。
【００２１】
制御部３１は、子機１０の前記制御部１１と同様に、ＣＰＵ３１Ａ、ＲＯＭ３１Ｂ、ＲＡＭ３１Ｃ等を有し、センタ装置３０全体の制御や、後述する親機２０と子機１０のそれぞれの無線局ＩＤや子機ＩＤの登録処理等を行う。ネットワークＩ／Ｆ部３２は、ネットワーク３に接続し、それらを介して親機２０と通信を行う。操作入力部３３は、各種データや命令等をセンタ装置３０に対して外部から入力するキーボードやマウス等の入力手段を有する。表示部３４は、例えば液晶ディスプレイであり、システム１に関する情報や監視中の端末機器２に関する情報、センタ装置３０への入力時の操作画面等を表示する。記憶部３５は、例えば不揮発メモリやハードディスクドライブ等からなり、登録した各子機１０の無線局ＩＤと子機ＩＤ、及び各子機１０が接続された端末機器２に関する情報等からなる管理データテーブルや、親機２０の無線局ＩＤ等、通信に必要なシステム１に関する情報の他、親機２０から送信される端末機器２のデータ等を記憶する。
【００２２】
図５は、以上説明したセンタ装置３０（記憶部３５）、親機２０（記憶部２６）、及び子機１０（記憶部１５）の保持するデータ通信システム１に関する情報の例を示す図である。
センタ装置３０では、図５Ａに示すように、記憶部３５の管理データテーブルに、登録した子機１０（端末機器２）の設置場所（図では、子機１０が設置された家の代表者の名前）と、子機１０の無線局ＩＤ（図では１２桁の番号）及び子機ＩＤ（図では２桁の番号）とを互いに関連づけて記憶する。一方、親機２０では、図５Ｂに示すように、記憶部２６の管理データテーブルに、登録した子機１０の無線局ＩＤと、子機ＩＤとを関連づけて記憶し、子機１０では、図５Ｃに示すように、記憶部１５に登録した親機２０の無線局ＩＤ（図では１２桁の番号）を記憶する。
【００２３】
次に、これら各情報を使用したデータ通信システム１の通信処理の概要を、センタ装置３０が図５Ａのテーブルの最上段に示す子機１０（東京太郎邸、子機無線局ＩＤ（４００００００００００１）、子機ＩＤ（１０））からデータを取得する場合を例に採り説明する。
図６は、このときの通信処理の流れを示すフロー図である。
【００２４】
まず、センタ装置３０は、図示のように、所定の周期で又は必要時に、端末機器２の検出データを要求する要求信号を親機２０に対し、要求先の端末機器２が接続された子機１０を、子機ＩＤ（１０）により指定して送信する（Ｓ１１）。これを受信した親機２０は、自己の記憶部２６に記憶した管理データテーブル（図５Ｂ）を読み出し、そこから信号に付加された子機ＩＤ（１０）に対応する子機１０の無線局ＩＤを検索する（Ｓ１２）。次に、親機２０は、子機１０に対して端末機器２の検出データの送信を要求するための呼出信号を送信するが、このとき、子機の無線局ＩＤ（４００００００００００１）を送信先として、自己の無線局ＩＤ（１００００００００００１）を送信元として、それぞれ呼出信号に付加して送信する（Ｓ１３）。
【００２５】
これを受信した子機１０は、その信号が自機宛のものであると判断した場合、即ち、信号に付加された送信先の無線局ＩＤが自己のＩＤと一致し、かつ送信元（親機２０）の無線局ＩＤが自己の記憶部１５に記憶した親機２０の無線局ＩＤ（図５Ｃ）と一致する場合に、端末機器Ｉ／Ｆ部１４を介して端末機器２から検出データを取得する（Ｓ１４）。次に、子機１０は、検出データに、送信先の親機２０の無線局ＩＤと、送信元の自己の無線局ＩＤを付加して親機２０に返信する（Ｓ１５）。これを受信した親機２０は、自機宛のものである場合（信号に付加された送信先の無線局ＩＤが自己のＩＤと一致する場合）に、再び管理データテーブル（図５Ｂ）から、送信元の子機１０の無線局ＩＤに対応する子機ＩＤを検索し（Ｓ１６）、子機ＩＤ（１０）を検出データに付加してセンタ装置３０に送信する（Ｓ１７）。これを受信したセンタ装置３０は、自己の管理データテーブル（図５Ａ）を読み出し、そこから子機ＩＤ（１０）に対応する子機１０の設置家屋（東京太郎邸）を検索し（Ｓ１８）、それらを関連づけて記憶部３５に記憶等して監視する。
【００２６】
以上のように通信を行うデータ通信システム１に、新たに子機１０を設置する場合、又はデータ通信システム１自体を新たに構築するときには、親機２０と子機１０間で正確な通信チャンネルを確立して混信等を回避するため、以下説明する親機２０と子機１０の縁組み作業を行う。
【００２７】
図７は、親機２０と子機１０の縁組み処理の流れを示すフロー図である。
ユーザは、まず、図示のように、センタ装置３０の操作入力部３３を操作し、縁組み対象の１又は２以上の子機１０の情報（名前、無線機ＩＤ、子機ＩＤ）を入力してデータベースを作成し、それらを記憶部３５の管理データテーブル（図５Ａ参照）に登録する（Ｓ２１）。次に、センタ装置３０を操作してセンタ装置３０で保持する子機情報を親機２０へ転送し、必要とする子機情報を親機２０に登録する。即ち、センタ装置３０は、記憶部３５から管理データテーブルを読み出して子機１０の無線局ＩＤと子機ＩＤを抽出し、これらのデータを付加した登録要求信号を親機２０に対し、ネットワーク３を介して送信する（Ｓ２２）。これを受信した親機２０は、信号に付加された子機１０の無線局ＩＤと子機ＩＤを自己の記憶部２６の管理データテーブル（図５Ｂ参照）に登録する（Ｓ２３）。
【００２８】
一方、子機１０側では、操作入力部１３に設けられた縁組ボタン（図示せず）を押下することにより、子機１０側から縁組み処理を開始し（Ｓ２４）、親子機間で無線局ＩＤを通知しあって、その交換を行う。具体的には、子機１０は、記憶部１５に記憶する自己の無線局ＩＤを読み出し、このＩＤを縁組要求信号に付加して親機２０に、例えばブロードキャスト通信等により送信する（Ｓ２５）。この信号を受信した親機２０は、記憶部２６から自己の管理データテーブルを読み出して検索し、信号に付加された無線局ＩＤが縁組み対象の子機１０の無線局ＩＤか否か確認し（Ｓ２６）、縁組み対象の子機１０であれば、記憶部２６から自己の無線局ＩＤを読み出し、このＩＤを送信元とし、受信した子機１０の無線局ＩＤを送信先として登録要求信号に付加して子機１０に返信する（Ｓ２７）。これを受信した子機１０は、信号に付加された送信先の無線局ＩＤが自己のＩＤと一致する場合に、送信元である親機２０の無線局ＩＤを、記憶部１５に縁組み対象の親機２０として登録し（Ｓ２８）、親機２０と子機１０の縁組み処理を終了する。その後、データ通信システム１の運用を開始する（Ｓ２９）。
【００２９】
なお、センタ装置３０から親機２０へ送信する登録要求信号（Ｓ２２）に複数の縁組み対象の子機１０が含まれるときには、子機１０の縁組ボタン押下（Ｓ２４）以降の縁組み処理（Ｓ２４からＳ２８）を、親機２０と全ての子機１０との間で行う。
【００３０】
以上説明した縁組み方法では、子機１０に対して、ディップスイッチ等を用いた子機ＩＤの設定・登録を行う必要がないため、その設定作業に要する手間や時間を削減できるとともに、子機ＩＤの設定ミス及び、それに伴うトラブルの発生、例えば管理データテーブルへの間違ったデータの上書き保存等、を防止することができる。また、センタ装置３０側での情報の入力操作と子機１０の縁組ボタン押下という簡単な作業を行うだけで、その他の処理は主に自動で行われるため、センタ装置３０や親機２０、子機１０で行う操作や縁組み作業を単純化することもできる。従って、データ通信システム１の親機２０と子機１０の縁組みを正確かつ容易に行うことができ、作業時間を短縮して縁組み処理の効率を向上させることができる。
【００３１】
なお、上記した縁組み処理では、センタ装置３０から親機２０への登録要求（Ｓ２２）を、子機１０から親機２０への縁組要求（Ｓ２４、Ｓ２５）よりも先に行ったが、これら各要求の順序を逆にしてもよい。
図８は、このときの縁組み処理の流れを示すフロー図である。
【００３２】
この場合には、図示のように、ユーザは、上記と同様にして縁組み予定の子機１０の情報（名前、無線機ＩＤ、子機ＩＤ）を、センタ装置３０の記憶部３５の管理データテーブル（図５Ａ参照）に登録する（Ｓ３１）。次に、子機１０側で、縁組ボタン（図示せず）を押下することにより、子機１０側から縁組み処理を開始する（Ｓ３２）。子機１０は、記憶部１５に記憶している自己の無線局ＩＤを読み出し、このＩＤを縁組要求信号に付加して親機２０に送信する（Ｓ３３）。これを受信した親機２０は、信号に付加された子機１０の無線局ＩＤを記憶部２６に一時的に記憶し（Ｓ３４）、このＩＤを送信先とし、記憶部２６から読み出した自己の無線局ＩＤを送信元として、登録要求信号に付加して子機１０に返信する（Ｓ３５）。これを受信した子機１０は、信号に付加された送信先の無線局ＩＤが自己のＩＤと一致する場合に、送信元である親機２０の無線局ＩＤを、記憶部１５に縁組み対象の親機２０として登録する（Ｓ３６）。
【００３３】
次に、センタ装置３０側で操作入力部３３を操作して、記憶部３５に記憶した管理データテーブルを読み出して子機１０の無線局ＩＤと子機ＩＤを抽出し、これらのデータを付加した登録要求信号を親機２０に対して送信する（Ｓ３７）。これを受信した親機２０は、信号に含まれる子機１０の無線局ＩＤと子機ＩＤを自己の記憶部２６の管理データテーブル（図５Ｂ参照）に登録する（Ｓ３８）。次に、親機２０は、一時的に記憶した子機１０の無線局ＩＤを読み出し、そのＩＤが管理データテーブル中に含まれているか否かを検索し、含まれているときには、管理データテーブルに、その無線局ＩＤの子機１０とは縁組み済みであることを書き込む等して縁組み処理を終了する。その後、データ通信システム１の運用を開始する（Ｓ３９）。
【００３４】
以上のようにして縁組み処理を行った場合でも、上記した図７のフローにより縁組み処理を行った場合の効果と、ほぼ同様の効果が得られる。なお、ここでは、センタ装置３０から親機２０へ縁組み対象の子機１０の登録要求信号を送信（Ｓ３７）したが、子機１０からの縁組要求信号（Ｓ３３）を受信した親機２０から、センタ装置３０に対して、縁組み対象の子機１０の情報の送信を要求させ、それを受信したセンタ装置３０が子機１０の情報を親機２０へ送信するようにしてもよい。また、以上の縁組み処理時に、センタ装置３０から親機２０への子機情報の送信（Ｓ３７）及び子機情報の親機２０への登録処理（Ｓ３８）を行わずにシステム１の運用を開始し（Ｓ３９）、子機１０からの信号を受信したときに、その都度、親機２０からセンタ装置３０に対して、送信元の子機１０の情報の送信を要求させてもよい。
【００３５】
ここで、以上の各例では、子機１０の縁組ボタンの押下により親機２０と子機１０の縁組み処理を開始したが、センタ装置３０からの指示により、縁組み処理を開始させてもよい。
図９は、このときの縁組み処理の流れを示すフロー図である。
【００３６】
この場合には、図示のように、ユーザは、上記と同様に、センタ装置３０の操作入力部３３を操作して、縁組み予定の子機１０の情報（名前、無線機ＩＤ、子機ＩＤ）を記憶部３５の管理データテーブル（図５Ａ参照）に登録し（Ｓ４１）、センタ装置３０で保持する子機情報を親機２０へ転送して必要とする子機情報を親機２０に登録する。即ち、センタ装置３０は、記憶部３５から管理データテーブルを読み出して子機１０の無線局ＩＤと子機ＩＤを抽出し、これらのデータを付加した登録要求信号を親機２０に対し、ネットワーク３を介して送信する（Ｓ４２）。これを受信した親機２０は、信号に付加された子機１０の無線局ＩＤと子機ＩＤを自己の記憶部２６の管理データテーブル（図５Ｂ参照）に登録する（ＳＳ４３）。
【００３７】
次に、センタ装置３０を操作して縁組みの開始を指示する信号を親機２０へ送信する（Ｓ４４）。これを受信した親機２０は、記憶部２６から管理データテーブルと自己の無線局ＩＤを読み出し、縁組み対象の子機１０の無線局ＩＤ（図５Ｂ参照）を送信先とし、自己の無線局ＩＤを送信元として登録要求信号に付加し、例えばブロードキャスト通信等により全ての子機１０に対して送信する（Ｓ４５）。これを受信した子機１０は、信号に付加された送信先の無線局ＩＤが自己の無線局ＩＤと一致する場合に、送信元である親機２０の無線局ＩＤを、記憶部１５に縁組み対象の親機２０として登録し（Ｓ４６）、親機２０と子機１０の縁組み処理を終了する。その後、データ通信システム１の運用を開始する（Ｓ４７）。
【００３８】
以上のようにして縁組み処理を行った場合にも、上記した効果と同様の効果が得られる。加えて、この場合には、各子機１０側での操作が不要となり、かつ一回の登録要求信号の送信で親機２０と全ての縁組み対象の子機１０との間で縁組み処理を行えるため、更に縁組み作業を単純化することができ、作業時間をより短縮して縁組み処理の効率を一層向上させることができる。これは、例えば新たにデータ通信システム１全体を構築する場合等、登録対象の子機１０が複数ある場合に、特に効果が大きい。
【００３９】
なお、上記した実施形態では、センタ装置３０を操作して縁組みの開始を指示する信号を親機２０へ送信したが（Ｓ４４）、この指示信号の送信は、センタ装置３０から親機２０へ子機情報の登録要求信号を送信（Ｓ４２）した後、例えば所定時間経過したとき等の所定のタイミングで、センタ装置３０から親機２０へ自動で送信するようにしてもよい。また、センタ装置３０から親機２０への縁組み開始の指示信号の送信（Ｓ４４）を別途行わず、例えばセンタ装置３０から親機２０への子機情報の登録要求信号（Ｓ４２）に縁組み開始の指示を付加したり、或いは、子機情報を登録（Ｓ４３）した親機２０に、子機１０へ自己の無線局ＩＤを自動で送信（Ｓ４５）させる等して、子機１０に対する親機２０の無線局ＩＤの送信を自動化してもよい。この場合には、上記した各効果をより向上させることができる。
【図面の簡単な説明】
【００４０】
【図１】本実施形態のデータ通信システムの概略構成を示すブロック図である。
【図２】本実施形態のデータ通信システムの子機の概略構成を示すブロック図である。
【図３】本実施形態のデータ通信システムの親機の概略構成を示すブロック図である。
【図４】本実施形態のデータ通信システムのセンタ装置の概略構成を示すブロック図である。
【図５】本実施形態のセンタ装置、親機、及び子機の保持する通信システムに関する情報の例を示す図である。
【図６】本実施形態のデータ通信システムの通信処理の例を示すフロー図である。
【図７】本実施形態のデータ通信システムにおける親機と子機の縁組み処理の流れを示すフロー図である。
【図８】本実施形態のデータ通信システムにおける親機と子機の縁組み処理の他の例を示すフロー図である。
【図９】本実施形態のデータ通信システムにおける親機と子機の縁組み処理の他の例を示すフロー図である。
【符号の説明】
【００４１】
１・・・データ通信システム、２・・・端末機器、３・・・ネットワーク、１０・・・子機、１１・・・制御部、１１Ａ・・・ＣＰＵ、１１Ｂ・・・ＲＯＭ、１１Ｃ・・・ＲＡＭ、１２・・・無線通信インターフェース部、１３・・・操作入力部、１４・・・端末機器インターフェース部、１５・・・記憶部、１６・・・アンテナ、２０・・・親機、２１・・・制御部、２１Ａ・・・ＣＰＵ、２１Ｂ・・・ＲＯＭ、２１Ｃ・・・ＲＡＭ、２２・・・無線通信インターフェース部、２３・・・ネットワークインターフェース部、２４・・・操作入力部、２５・・・表示部、２６・・・記憶部、２７・・・アンテナ、３０・・・センタ装置、３１・・・制御部、３１Ａ・・・ＣＰＵ、３１Ｂ・・・ＲＯＭ、３１Ｃ・・・ＲＡＭ、３２・・・ネットワークインターフェース部、３３・・・操作入力部、３４・・・表示部、３５・・・記憶部。
【図１】
2007267313.tif 000003
【図２】
2007267313.tif 000004
【図３】
2007267313.tif 000005
【図４】
2007267313.tif 000006
【図５】
2007267313.tif 000007
【図６】
2007267313.tif 000008
【図７】
2007267313.tif 000009
【図８】
2007267313.tif 000010
【図９】
2007267313.tif 000011